(57)【特許請求の範囲】
【請求項１】
画像が表示される矩形状の表示領域を含む表示部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部の表示領域に表示される当該表示領域の縦横長さよりも大きいスクロール画像であって当該スクロール画像が前記表示領域に収まりきらないと判断した場合には、当該スクロール画像の中心部分となる画像を前記表示部の表示領域に表示させた後、前記表示領域に表示している当該スクロール画像の中心部分となる画像の予め定められた位置である左上隅から、当該スクロール画像における角部分となる予め定められた初期表示位置である左上隅への方向を算出するとともに、当該算出した方向を直交する２方向成分に分割した左右方向であるＸ方向及び上下方向であるＹ方向を２方向のスクロールに設定し、当該スクロール画像の最上部が前記表示領域の上端に到達するまで前記Ｙ方向へのスクロール表示を行ってから、当該スクロール画像の左端が前記表示領域の左端に到達するまで前記Ｘ方向へのスクロール表示を行うか、又は、前記Ｘ方向へのスクロール表示を行ってから前記Ｙ方向へのスクロール表示を行うことにより、当該スクロール画像の角部分となる予め定められた初期表示位置を含む画像部分を前記表示領域に表示させ、当該初期表示位置となる画像部分を前記表示領域に表示させた状態でスクロール表示を停止させる表示装置。
【請求項２】
前記表示制御部は、前記２方向それぞれのスクロール量として、前記Ｘ方向のスクロール量である距離ｄ１と、前記Ｙ方向のスクロール量である距離ｄ２とを算出し、前記距離ｄ１と前記距離ｄ２とを比較し、前記Ｘ方向へのスクロール表示と前記Ｙ方向へのスクロール表示とのうち前記距離の長い方のスクロール表示を先に開始し、当該距離の長い方のスクロール表示が終わった後に当該距離の短い方のスクロール表示を行う請求項１に記載の表示装置。
【請求項３】
前記表示制御部は、前記２方向それぞれのスクロール量として、前記Ｘ方向のスクロール量である距離ｄ１と、前記Ｙ方向のスクロール量である距離ｄ２とを算出し、前記Ｘ方向のスクロール速度Ｖ１及び前記Ｙ方向のスクロール速度Ｖ２を以下に示す式（１）及び式（２）に基づいて算出し、前記スクロール量が大きくなるにつれてスクロール速度を速くして、前記算出したスクロール速度Ｖ１、Ｖ２で前記２方向それぞれのスクロール表示を行う請求項１又は請求項２に記載の表示装置。
Ｖ１＝ｄ１／Ｔ  …式（１）
Ｖ２＝ｄ２／Ｔ  …式（２）
但し、Ｔは、予め設定された標準スクロール表示時間である。
【請求項４】
ユーザーからの操作を受け付ける操作受付部と、
表示部の動作を制御し、前記操作受付部がユーザーから前記表示部の表示内容をスクロール表示させる指示を受け付けると、当該指示に応じて前記表示部の表示内容をスクロール表示させる表示制御部としてコンピューターを機能させる表示制御プログラムであって、
前記表示制御部が、表示対象とする画像が前記スクロール表示により前記表示部の矩形状の表示領域に表示される当該表示領域の縦横長さよりも大きいスクロール画像であって当該スクロール画像が前記表示領域に収まりきらないと判断した場合には、当該スクロール画像の中心部分となる画像を前記表示部の表示領域に表示させた後、前記表示領域に表示している当該スクロール画像の中心部分となる画像の予め定められた位置である左上隅から、当該スクロール画像における角部分となる予め定められた初期表示位置である左上隅への方向を算出するとともに、当該算出した方向を直交する２方向成分に分割した左右方向であるＸ方向及び上下方向であるＹ方向を２方向のスクロールに設定し、当該スクロール画像の最上部が前記表示領域の上端に到達するまで前記Ｙ方向へのスクロール表示を行ってから、当該スクロール画像の左端が前記表示領域の左端に到達するまで前記Ｘ方向へのスクロール表示を行うか、又は、前記Ｘ方向へのスクロール表示を行ってから前記Ｙ方向へのスクロール表示を行うことにより、当該スクロール画像の角部分となる予め定められた初期表示位置を含む画像部分を前記表示領域に表示させ、当該初期表示位置となる画像部分を前記表示領域に表示させた状態でスクロール表示を停止させるように、更に前記コンピューターを機能させる表示制御プログラム。
【発明の詳細な説明】
【技術分野】
【０００１】
本発明は、表示装置及び表示制御プログラムに関し、特に、表示部に表示される画像をスクロール表示させる技術に関する。
【背景技術】
【０００２】
表示装置には、ユーザーが表示部の表示画面に対して行うタッチ操作に従って、表示部の表示画面をスクロール表示するものがある。スワイプ等のタッチ操作に従って実行されるスクロール表示は直感的で操作性も良く、さらにはスクロールバーの表示を無くしたり小さくできるため、表示部における画像の表示領域を大きくできるというメリットがある。
【０００３】
しかしながら、スクロールバーの表示が無い、あるいは小さいと、表示画面をスクロールできること、すなわち、表示部の表示領域に表示していないが更に表示すべき画像があることをユーザーが気付かないおそれがある。例えば、画像形成装置では、複数のジョブ情報が予め定められた順序で列挙されたリストを表示する場合がある。ジョブ情報は複数のジョブ名等が受付時刻順に列挙して表示されるが、スクロールバーの表示が無い、あるいは小さいと、ユーザーは、表示されずに隠れているジョブ情報に気付かない事態が生じ得る。
【０００４】
このため、表示部にスクロール可能な画像を表示する場合には、当該画像をその最終位置が表示されるまで一旦スクロールダウンさせる表示装置が提案されている（例えば、下記特許文献１を参照）。
【先行技術文献】
【特許文献】
【０００５】
【特許文献１】特開平４−２３４７８９号公報
【発明の概要】
【発明が解決しようとする課題】
【０００６】
しかしながら、例えば、パーソナルコンピューター（ＰＣ：Personal Computer）などの電子機器で、ブラウザー機能を用いて、ウェブページを開いた場合、スクロールバーの表示が無い、あるいは小さいと、ユーザーは、表示部に表示されていないが、スクロールにより表示可能な画像部分が存在することに気付かないおそれがある。また、上記特許文献１に記載の発明では、一方向においてスクロールダウンにより表示される画像については、スクロールにより表示可能な画像部分が存在することをユーザーに認識させることはできるが、例えば上下左右の二方向へのスクロールで表示可能となる画像部分が存在する場合には、上記特許文献１に記載の発明では、当該画像の存在をユーザーに的確に認識させることができない。
【０００７】
本発明は、上記の事情に鑑みなされたものであり、表示部には画像の一部しか表示されておらず、当該画像はスクロール表示により全体が表示部に表示されるものであることを、従来よりも更に的確にユーザーが把握できるようにすることを目的とする。
【課題を解決するための手段】
【０００８】
本発明の一局面に係る表示装置は、画像が表示される矩形状の表示領域を含む表示部と、ユーザーからの操作を受け付ける操作受付部と、前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、前記表示制御部は、表示対象とする画像が前記スクロール表示により前記表示部の表示領域に表示される当該表示領域の縦横長さよりも大きいスクロール画像であって当該スクロール画像が前記表示領域に収まりきらないと判断した場合には、当該スクロール画像の中心部分となる画像を前記表示部の表示領域に表示させた後、前記表示領域に表示している当該スクロール画像の中心部分となる画像の予め定められた位置である左上隅から、当該スクロール画像における角部分となる予め定められた初期表示位置である左上隅への方向を算出するとともに、当該算出した方向を直交する２方向成分に分割した左右方向であるＸ方向及び上下方向であるＹ方向を２方向のスクロールに設定し、当該スクロール画像の最上部が前記表示領域の上端に到達するまで前記Ｙ方向へのスクロール表示を行ってから、当該スクロール画像の左端が前記表示領域の左端に到達するまで前記Ｘ方向へのスクロール表示を行うか、又は、前記Ｘ方向へのスクロール表示を行ってから前記Ｙ方向へのスクロール表示を行うことにより、当該スクロール画像の角部分となる予め定められた初期表示位置を含む画像部分を前記表示領域に表示させ、当該初期表示位置となる画像部分を前記表示領域に表示させた状態でスクロール表示を停止させるものである。
【０００９】
また、本発明の一局面に係る表示制御プログラムは、ユーザーからの操作を受け付ける操作受付部と、表示部の動作を制御し、前記操作受付部がユーザーから前記表示部の表示内容をスクロール表示させる指示を受け付けると、当該指示に応じて前記表示部の表示内容をスクロール表示させる表示制御部としてコンピューターを機能させる表示制御プログラムであって、前記表示制御部が、表示対象とする画像が前記スクロール表示により前記表示部の矩形状の表示領域に表示される当該表示領域の縦横長さよりも大きいスクロール画像であって当該スクロール画像が前記表示領域に収まりきらないと判断した場合には、当該スクロール画像の中心部分となる画像を前記表示部の表示領域に表示させた後、前記表示領域に表示している当該スクロール画像の中心部分となる画像の予め定められた位置である左上隅から、当該スクロール画像における角部分となる予め定められた初期表示位置である左上隅への方向を算出するとともに、当該算出した方向を直交する２方向成分に分割した左右方向であるＸ方向及び上下方向であるＹ方向を２方向のスクロールに設定し、当該スクロール画像の最上部が前記表示領域の上端に到達するまで前記Ｙ方向へのスクロール表示を行ってから、当該スクロール画像の左端が前記表示領域の左端に到達するまで前記Ｘ方向へのスクロール表示を行うか、又は、前記Ｘ方向へのスクロール表示を行ってから前記Ｙ方向へのスクロール表示を行うことにより、当該スクロール画像の角部分となる予め定められた初期表示位置を含む画像部分を前記表示領域に表示させ、当該初期表示位置となる画像部分を前記表示領域に表示させた状態でスクロール表示を停止させるように、更に前記コンピューターを機能させるものである。
【発明の効果】
【００１０】
本発明によれば、表示部には画像の一部しか表示されておらず、当該画像はスクロール表示により全体が表示部に表示されるものであることを、従来よりも更に的確にユーザーに把握させることができる。
【図面の簡単な説明】
【００１１】
【図１】本発明の第１実施形態に係る表示装置の主要内部構成を概略的に示した機能ブロック図である。
【図２】表示部に表示されるブラウザー画面の一例を示した図である。
【図３】（Ａ）はウェブページと表示領域との位置関係を示した図であり、（Ｂ）は表示部に表示されるブラウザー画面の一例を示した図である。
【図４】第１実施形態に係る表示装置による表示制御時の処理を示すフローチャートである。
【図５】（Ａ）は表示部に表示されるブラウザー画面の一例を示した図であり、（Ｂ）はウェブページと表示領域との位置関係を示した図である。
【図６】ウェブページと表示領域との位置関係を示した図である。
【図７】表示部に表示されるブラウザー画面の一例を示した図であり、（Ａ）はスクロール表示開始時の状態を示し、（Ｂ）はスクロール表示終了時の状態を示している。
【図８】第２実施形態に係る表示装置による表示制御時の処理を示すフローチャートである。
【図９】（Ａ）〜（Ｃ）は、ウェブページと表示領域との位置関係を示した図である。
【図１０】（Ａ）〜（Ｃ）は、表示部に表示されるブラウザー画面の一例を示した図である。
【図１１】第３実施形態に係る表示装置による表示制御時の処理を示すフローチャートである。
【図１２】ウェブページと表示領域との位置関係を示した図であり、スクロール方向を２方向に分割する様子を示す図である。
【発明を実施するための形態】
【００１２】
以下、本発明の一実施形態に係る表示装置及び表示制御プログラムについて図面を参照して説明する。図１は、本発明の第１実施形態に係る表示装置の主要内部構成を概略的に示した機能ブロック図である。表示装置１は、例えば、ＰＣなどの電子機器であって、表示部１０と、操作部２０と、通信部３０と、記憶部４０と、制御ユニット１００とを備えている。これらの各構成は、互いにＣＰＵ（Central Processing Unit）バスによりデータ又は信号の送受信が可能とされている。
【００１３】
操作部２０は、マウスやキーボードなどであり、表示装置１が実行可能な各種動作及び処理についてユーザーから各種指示を受け付ける。
【００１４】
表示部１０は、液晶ディスプレイ（ＬＣＤ：Liquid Crystal Display）や有機ＥＬ（ＯＬＥＤ：Organic Light-Emitting Diode）などから構成される。表示部１０は、タッチパネル機能を備え、当該タッチパネルにより、操作者が画面表示されるボタンやキーに触れる操作を検知して、検知した操作を示す検知信号を、後述する操作受付部１０２に出力する。
【００１５】
通信部３０は、不図示のＬＡＮ（Local Area Network）チップなどの通信モジュールを備える通信インターフェイスである。
【００１６】
記憶部４０は、不揮発性メモリーやＨＤＤ（Hard Disk Drive）などの記憶装置である。
【００１７】
制御ユニット１００は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、又はＡＳＩＣ等である。制御ユニット１００は、制御部１０１と、操作受付部１０２と、表示制御部１０３とを備えている。
【００１８】
制御ユニット１００は、記憶部４０に記憶されている表示制御プログラムに従った動作により、制御部１０１、操作受付部１０２、及び表示制御部１０３として機能する。但し、制御部１０１、操作受付部１０２、及び表示制御部１０３は、制御ユニット１００による表示制御プログラムなどに従った動作によらず、それぞれハードウェア回路により構成することも可能である。以下、特に触れない限り、各実施形態について同様である。
【００１９】
制御部１０１は、表示装置１の全体的な動作制御を司る。制御部１０１は、表示部１０、操作部２０、通信部３０、及び記憶部４０などと接続されており、接続されている上記各構成の動作制御や、各構成との間での信号またはデータの送受信を行う。
【００２０】
操作受付部１０２は、操作部２０（タッチパネル等）から出力される検知信号に基づき、ユーザーにより入力されたユーザー操作を特定する。操作受付部１０２は、当該特定したユーザー操作が示す指示を受け付け、当該指示に対応する制御信号を制御部１０１などに出力する。
【００２１】
表示制御部１０３は、表示部１０の表示制御を行う。表示制御部１０３は、例えば、操作受付部１０２がユーザーからの表示部１０の表示内容をスクロールさせる指示を、上記タッチパネル機能を介してフリック又はスワイプ操作等に基づいて受け付けると、当該要求に応じて表示部１０の表示をスクロールさせる。
【００２２】
また、表示制御部１０３は、ブラウザー機能により、操作受付部１０２がユーザーからインターネット上のサイトへのアクセス要求を受け付けると、通信部３０を介して、当該サイトから、ウェブページを構成する画像データを取得し、ブラウザー画面を表示部１０に表示させる。
【００２３】
図２は、表示部１０に表示されるブラウザー画面の一例を示す図である。ブラウザー画面Ｄ１はウェブページを表示する表示領域Ｅ１と、表示領域Ｅ１を囲むフレームＦ１とを含んで構成される。
【００２４】
また、図３（Ａ）に示すように、ウェブページＷ１が表示領域Ｅ１に収まりきらない大きな画像からなる場合、表示制御部１０３は、図３（Ｂ）に示すように、表示領域Ｅ１にウェブページＷ１の一部分を表示させる。この場合、表示制御部１０３は、表示領域Ｅ１に表示させている画像（ウェブページＷ１の一部分）をスクロールさせることにより、ウェブページＷ１全域における各部の画像を表示領域Ｅ１に表示させる。
【００２５】
なお、本実施形態では、表示制御部１０３が、スクロール表示させる対象として表示部１０に表示させる画像をスクロール画像と称する。すなわち、スクロール画像は、その全体が１度の表示では表示部１０の表示領域に表示できず、スクロール表示をしなければ全体が表示領域に表示されない画像である。
ウェブページＷ１は、スクロール画像の一例である。
【００２６】
次に、上記の構成を備える表示装置１の動作について説明する。図４は、第１実施形態に係る表示装置による表示制御時の処理を示すフローチャートである。図５（Ａ）は、表示部１０に表示されるブラウザー画面Ｄ１の一例を示した図であり、図５（Ｂ）は、ウェブページＷ１と表示領域Ｅ１との位置関係を示した図である。図６は、ウェブページＷ１と表示領域Ｅ１との位置関係を示した図である。図７は、表示部１０に表示されるブラウザー画面Ｄ１の一例を示した図であり、（Ａ）はスクロール表示開始時の状態を示し、（Ｂ）はスクロール表示終了時の状態を示す。
【００２７】
例えば、操作受付部１０２がユーザーからインターネット上のサイトへのアクセス要求を受け付けると、表示制御部１０３は、通信部３０を介して、当該サイトから、ウェブページを構成する画像データを取得する（Ｓ１）。更に、表示制御部１０３は、取得した画像データから構成されるウェブページが表示領域Ｅ１（図２）に収まるか否かを判断する（Ｓ２）。すなわち、表示制御部１０３は、ウェブページ画像がスクロール画像か否かを判断する。
【００２８】
表示制御部１０３は、当該ウェブページが表示領域Ｅ１に収まる（スクロール画像ではない）と判断すれば（Ｓ２でＹＥＳ）、取得した画像データに基づいて、当該ウェブページの全部を表示領域Ｅ１内に配置したブラウザー画面を表示部１０に表示させる（Ｓ３）。
【００２９】
一方、表示制御部１０３は、ウェブページが表示領域Ｅ１に収まりきらない（スクロール画像である）と判断した場合（Ｓ２でＮＯ）、図５（Ｂ）に示すように、ウェブページ（スクロール画像）の中心部分を示す画像Ｗ１１を、表示領域Ｅ１に配置したブラウザー画面Ｄ１を表示部１０に表示させる（Ｓ４、図５（Ａ））。
【００３０】
続いて、表示制御部１０３は、図５（Ｂ）において表示領域Ｅ１に表示している画像Ｗ１１の予め定められた位置から、ウェブページＷ１を示す画像における角部分となる予め定められた初期表示位置への方向を算出するとともに、算出した方向Ａ１をスクロール方向に設定する（Ｓ５）。例えば、表示制御部１０３は、図６に示すように、上記予め定められた位置としての表示領域Ｅ１に表示された画像Ｗ１１における左上隅Ｃｅから、ウェブページＷ１の左上隅Ｃｗを上記初期表示位置として、ここへの方向Ａ１を算出し、当該方向Ａ１をスクロール方向に設定する。
【００３１】
続いて、表示制御部１０３は、方向Ａ１（図６に示す例では、左斜め上に向かう方向）に向かってスクロールされているように見せるウェブページＷ１のスクロール表示を開始する（Ｓ６）。表示制御部１０３は、ウェブページＷ１の左上隅Ｃｗが表示領域Ｅ１の左上隅Ｃｅに到達するまでスクロール表示を行うと（Ｓ７でＹＥＳ）、スクロール表示を終了する（Ｓ８）。この例でいえば、表示制御部１０３は、表示領域Ｅ１に画像Ｗ１１が表示された状態（図７（Ａ））から、左上隅Ｃｗを含む画像Ｗ１２が表示される状態までスクロール表示を行い、表示領域Ｅ１に画像Ｗ１２を表示させた状態でスクロール表示を停止する。
【００３２】
上記第１実施形態によれば、ウェブページＷ１の全体を表示領域Ｅ１に表示できない場合には、ウェブページＷ１の中心部分の画像を最初に示し、ここから、ウェブページＷ１の初期表示位置を含む画像部分までスクロール表示が行われるので、ウェブページＷ１を示す画像が表示領域Ｅ１に収まりきらず、表示領域Ｅ１に表示されていないウェブページＷ１の画像部分が存在することを、従来よりも更に的確にユーザーに把握させることができる。
【００３３】
また、スクロール表示開始時、ウェブページＷ１はその中心部分の画像が表示領域Ｅ１に表示され、この表示状態から、ウェブページＷ１の角部である初期表示位置を含む画像が表示される状態になるまでスクロール表示が行われるので、ユーザーは当該スクロール表示時のスクロール量に基づいて、ウェブページＷ１全体の大きさや情報量を把握することが可能になる。
【００３４】
次に、第２実施形態に係る表示装置１について説明する。第１実施形態では、表示制御部１０３は、図５（Ｂ）において表示領域Ｅ１に表示している画像Ｗ１１の予め定められた位置から、ウェブページＷ１を示す画像の角部分となる予め定められた初期表示位置への方向にスクロール表示するものとされているが、当該スクロール表示を、予め定められた２方向へのスクロールに分割して行う。第２実施形態では、第１実施形態で設定されたスクロール方向を、例えば、Ｙ方向へのスクロール（例えば、上下方向へのスクロールダウン）と、Ｘ方向へのスクロール（例えば、水平方向への右スクロール）とに分割して、ウェブページＷ１の上記スクロールを行う点で第１実施形態と相違する。
【００３５】
第２実施形態に係る表示装置１による表示制御時の処理を説明する。図８は、第２実施形態に係る表示装置による表示制御時の処理を示すフローチャートである。但し、第１実施形態と同様の処理についてはその説明を省略する。図９（Ａ）〜（Ｃ）、図１０（Ａ）〜（Ｃ）は、スクロール表示を説明するための説明図である。図９は、ウェブページＷ１と表示領域Ｅ１との位置関係を示し、図１０は、表示部１０に表示されるブラウザー画面Ｄ１の一例を示している。
【００３６】
表示制御部１０３が、図９（Ａ）に示すように、ウェブページＷ１が表示領域Ｅ１にウェブページＷ１の中心部分となる画像Ｗ１１を配置したブラウザー画面Ｄ１（図１０（Ａ））を表示部１０に表示させる（Ｓ４）。続いて、表示制御部１０３は、第１実施形態と同様にして算出したスクロール方向を２方向に分割し、最初に、Ｙ方向へのスクロール（本例では、上方向に画像が移動しているように見せかけるスクロールダウン）を行う（Ｓ１１）。
【００３７】
そして、表示制御部１０３は、例えば図９（Ｂ）に示すように、ウェブページＷ１の最上部が表示領域Ｅ１の上端に到達して、当該上端を含む画像Ｗ１３を表示領域Ｅ１に表示するまで（図１０（Ｂ））、スクロールダウンを行う（Ｓ１２でＹＥＳ）。表示制御部１０３は、この後、スクロール方向を例えば右方向に切り替え、ウェブページＷ１の左上隅Ｃｗ（初期表示位置）を含む画像Ｗ１２を表示させるための右スクロールを行う（Ｓ１３）。
【００３８】
表示制御部１０３は、ウェブページＷ１の左端が表示領域Ｅ１の左端に到達するまで右スクロールを行い（Ｓ１４でＹＥＳ）、表示領域Ｅ１にウェブページＷ１の左上隅Ｃｗ（初期表示位置）を含む画像Ｗ１２を表示させた状態で（図１０（Ｃ））、スクロール表示を停止させる（Ｓ８）。
【００３９】
当該第２実施形態によれば、第１実施形態と異なり、予め定められた２方向、例えば、上下方向及び左右方向に分割してスクロール表示が行われるので、ユーザーは、当該２方向へのスクロール表示を視認することで、ウェブページＷ１の全体像を更に把握しやすくなる。
【００４０】
次に、第３実施形態に係る表示装置１について説明する。第３実施形態では、上記２方向に分割したそれぞれのスクロール量を比較し、その比較結果に基づいて、いずれの方向へのスクロールを先に開始するかを設定する点で第２実施形態と相違する。
【００４１】
第３実施形態に係る表示装置の動作を図１１に示したフローチャートに基づいて説明する。但し、第１又は第２実施形態と同様の処理部分についてはその説明を省略する。また、図１２は、ウェブページと表示領域との位置関係を示した図であり、スクロール方向を２方向に分割する様子を示す図である。
【００４２】
表示制御部１０３が、図９（Ａ）に示すように、ウェブページＷ１が表示領域Ｅ１にウェブページＷ１の中心部分となる画像Ｗ１１を配置したブラウザー画面Ｄ１（図１０（Ａ））を表示部１０に表示させる（Ｓ４）。続いて、表示制御部１０３は、第１実施形態と同様にして算出したスクロール方向Ａ１を、図１２に例を示すように、Ａ１１方向（y成分）及びＡ１２方向（x成分）の２方向に分割し、それぞれの方向におけるスクロール量としての距離ｄ１，ｄ２を算出する（Ｓ２１）。なお、本第３実施形態では、スクロールダウン（Ａ１１方向）のスクロール量を距離ｄ１、右スクロール（Ａ１２方向）のスクロール量を距離ｄ２とする。
【００４３】
そして、表示制御部１０３は、距離ｄ１が距離ｄ２よりも大きいか否かを判断し（Ｓ２２）、スクロール量が大きい方のスクロール表示を先に開始する。すなわち、表示制御部１０３は、距離ｄ１が距離ｄ２よりも大きいと判断した場合（Ｓ２２でＹＥＳ）、先にスクロールダウンを行い（Ｓ２３，Ｓ２４）、その次に右スクロールを行い（Ｓ２５，Ｓ２６）、表示領域Ｅ１にウェブページＷ１の左上隅Ｃｗ（初期表示位置）を含む画像Ｗ１２を表示させた状態でスクロール表示を停止させる（Ｓ８）。
【００４４】
一方、表示制御部１０３は、距離ｄ１は距離ｄ２よりも大きくないと判断した場合（Ｓ２２でＮＯ）、先に右スクロールを行い（Ｓ２７，Ｓ２８）、その次にスクロールダウンを行い（Ｓ２９，Ｓ３０）、表示領域Ｅ１に画像Ｗ１２を表示させた状態でスクロール表示を停止させる（Ｓ８）。
【００４５】
当該第３実施形態によれば、表示領域Ｅ１にウェブページＷ１の全体を１度に表示できない場合には、表示領域Ｅ１に表示されていない画像部分の多い方向から先にスクロール表示が開始されるというルールを有することになるので、ユーザーが、当該ルールを認知していれば、ユーザーは上記２方向、例えば上下方向、水平方向のいずれの方向にウェブページＷ１についての情報が多く隠れているのかを把握することができる。なお、第３実施形態では、スクロール量が大きい方のスクロール表示を先に開始するようにしているが、これは一例であり、スクロール量が小さい方のスクロール表示を先に開始するようにしてもよい。
【００４６】
また、別の実施形態として、表示制御部１０３は、上記２方向それぞれのスクロール量が大きくなる（距離ｄ１，ｄ２が長くなる）につれて、スクロール速度を速くして、上記２方向それぞれのスクロール表示を行うようにしてもよい。例えば、標準スクロール表示時間Ｔを設定しておき、スクロール速度Ｖ１＝ｄ１／Ｔ、スクロール速度Ｖ２＝ｄ２／Ｔの数式に基づいて、スクロール速度Ｖ１，Ｖ２を算出する。これにより、距離ｄ１，ｄ２に関係なく、上記２方向それぞれのスクロール表示に要する時間を一定にすることができる。
【００４７】
本発明は上記実施の形態の構成に限られず種々の変形が可能である。また、上記実施形態では、本発明に係る表示装置の一実施形態としてＰＣを用いて説明しているが、これは一例に過ぎず、他の電子機器、例えば、タブレット端末、スマートフォン、画像形成装置などでもよい。
【００４８】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００４９】
１        表示装置
１０      表示部
２０      操作部
３０      通信部
４０      記憶部
１００    制御ユニット
１０１    制御部
１０２    操作受付部
１０３    表示制御部
【図１】
0006565791.tif 000002
【図２】
0006565791.tif 000003
【図３】
0006565791.tif 000004
【図４】
0006565791.tif 000005
【図５】
0006565791.tif 000006
【図６】
0006565791.tif 000007
【図７】
0006565791.tif 000008
【図８】
0006565791.tif 000009
【図９】
0006565791.tif 000010
【図１０】
0006565791.tif 000011
【図１１】
0006565791.tif 000012
【図１２】
0006565791.tif 000013